(57)【要約】【課題】横杆に吊り下げたズボン等が容易にずり落ちないことを可能にしたハンガーを提供すること。【解決手段】衣服を支持するための衣服支持部（２）と、該衣服支持部（２）の略中央上部に連設されたフック部（３）と、前記衣服支持部（２）の下端部分を連通した、ズボン等を吊り下げるための横杆（５）と、該横杆（５）の少なくとも一端部の下方側において、内方側へ向けて前記横杆（５）と略並行状態にして設けた、前記横杆（５）に吊り下げたズボン等を挟持する挟持片（６）と、を備えたハンガーであって、前記挟持片（６）は、ハンガーの前後方向へ向けて湾曲状にして突出させた複数個の押圧部（７）を有するとともに、前記複数個の押圧部（７）はそれぞれ、隣り合う押圧部（７）とは反対方向へ向けて突出していることを特徴とする。【選択図】図１
2006102371.tif 000002
【特許請求の範囲】
【請求項１】
衣服を支持するための衣服支持部（２）と、該衣服支持部（２）の略中央上部に連設されたフック部（３）と、前記衣服支持部（２）の下端部分を連通した、ズボン等を吊り下げるための横杆（５）と、該横杆（５）の少なくとも一端部の下方側において、内方側へ向けて前記横杆（５）と略並行状態にして設けた、前記横杆（５）に吊り下げたズボン等を挟持する挟持片（６）と、を備えたハンガーであって、
前記挟持片（６）は、ハンガーの前後方向へ向けて湾曲状にして突出させた複数個の押圧部（７）を有するとともに、前記複数個の押圧部（７）はそれぞれ、隣り合う押圧部（７）とは反対方向へ向けて突出していることを特徴とするハンガー。
【請求項２】
前記挟持片（６）は、前記押圧部（７）を２個形成することにより、ハンガーの上下方向に向いた形状を略Ｓ字形状としたことを特徴とする請求項１におけるハンガー。
【請求項３】
前記挟持片（６）の先端部（８）を下方側に向けて僅かに変形させたことを特徴とする請求項１又は請求項２に記載のハンガー。
【請求項４】
前記衣服支持部（２）、フック部（３）、横杆（５）、及び挟持片（６）を樹脂により一体に形成したことを特徴とする請求項１乃至請求項２のいずれかに記載のハンガー。
【発明の詳細な説明】
【技術分野】
【０００１】
本発明は、クリーニング店やクリーニング工場等で使用される、ズボンのような細長いものを吊り下げる横杆を有したハンガーに係り、より詳しくは、横杆に吊り下げたズボン等がずり落ちないようにしたハンガーに関する。
【背景技術】
【０００２】
一般的に衣服を支持するためのハンガーは、衣服の肩部分を支持する衣服支持部を有するとともに、この衣服支持部の下端部分を連通した横杆を備え、この横杆にズボン等の細長いものを吊り下げることを可能とし、これにより、一つのハンガーで上着とともにズボン等を支持することを可能としている。
【０００３】
そしてこのとき、単に横杆を設けたのみでは、この横杆に吊り下げたズボン等がずり落ちてしまうため、このようなずり落ちを防止するために、従来から提供されているハンガーでは、横杆の下端部に、横杆の中央側へ向けて、かつ横杆と略水平状態にしてズボン挟持部を連設し、横杆に吊り下げたズボン等の折り返し部近傍を挟持部と横杆で挟み込むようにしている。
【０００４】
しかしながら、このように、単に挟持部と横杆でズボン等の折り返し部近傍を挟みこんだのみでは、何らかの原因で、吊り下げているズボン等の下端部分が引っ張られてしまった場合などは、挟持部及び横杆と摺動するようにしてズボン等がずり落ちてしまうことが考えられる。
【０００５】
そこで、過去においては、このようなズボン等のずり落ちを有効に防止する方法が提案されてきた。
【０００６】
例えば登録第３０６５４４６号実用新案では、針金製のハンガーにおいて、前後方向から見た場合に横杆（明細書における「吊り掛け軸」）と重なる配置で挟持部を設け、挟持部が横杆を弾性的に加圧するようにし、これにより、ズボン等を弾性力で保持することを可能としている。
【０００７】
また、実開平７−２７３８２号公報に開示されているハンガーでは、２本のズボン挟持片を用いて、この挟持片を、横杆の端部下方に、横杆に並行で高さが異なる位置に連設し、かつ、挟持片の先端部よりの部分を互いに交差させており、これにより、横杆に吊り下げたズボン等を挟持片で挟むことを可能としている。
【０００８】
更に、特開平１０−１６５２８７号公報に開示されているハンガーでは、断面Ｚ型形状に形成したズボン保持片を設けており、段差上の上段部に相当するズボン保持部とズボンの胴部によって裾部側の折り返し部を狭着可能としている。
【特許文献１】特開平１０−１６５２８７号公報
【特許文献２】実用新案登録第３０６５４４６号公報
【特許文献３】実開平７−２７３８２号公報
【発明の開示】
【発明が解決しようとする課題】
【０００９】
しかしながら、登録第３０６５４４６号実用新案では、挟持部の弾性力によりズボン等を保持可能としているため、繰り返し使用することにより挟持部の弾性力が弱くなってしまうという問題点が考えられる。
【００１０】
また、実開平７−２７３８２号公報に開示されているハンガーでは、２本のズボン挟持片を高さ方向が異なるようにして設けているために、製造が面倒であるという問題点があり、更に、このハンガーでは、２本のズボン挟持片の弾性力を利用してズボンを保持するために、前述のハンガーと同様に、繰り返し使用することにより挟持部の弾性力が弱くなってしまうという問題点が考えられる。
【００１１】
更にまた、特開平１０−１６５２８７号公報に開示されているハンガーでは、Ｚ型形状に形成したズボン保持片における上段部に相当するズボン保持部により裾部側の折り返し部を狭着しており、弾性力を用いることがないために、ズボンのずり下がりを防止できるとともに、繰り返しの使用でもその作用が損なわれることは無いが、ズボン保持部により均等にズボンの裾部を狭着しているために、何らかの原因で吊り下げているズボン等の下端部分が引っ張られた場合にはズボンの狭着を維持することが不可能になってしまうという問題点がある。
【００１２】
ここで、特開平１０−１６５２８７号発明におけるこの問題点を図５を参照して説明すると、図５（Ａ）はズボンの折り返し部の狭着状態を示した概略断面図であり、図において３１がハンガー、３２が水平横杆、３３がＺ型形状のズボン保持片である。また、Ｔはズボンであり、図においては、Ｔ１が胴部側、Ｔ２が裾部側である。そして、ズボンＴにおける裾部側Ｔ２の折り返し部は、胴部側Ｔ１と、ズボン保持片３３の上段部に相当するズボン保持部３５とにより狭着されており、この状態においては、（Ａ）の状態をＤ−Ｄ方向に見た（Ｂ）に示されるように、ズボンの折り返し部はズボン保持部３５により、胴部側に均等に押圧されている。
【００１３】
次に、この状態において、胴部側を下側に引っ張った場合を考えると、即ち、（Ａ）において胴部側Ｔ１を矢印Ａ方向に引っ張ると、裾部側Ｔ２は矢印Ｂ方向へ引っ張られることになる。そうすると、ズボン保持片３３は、裾部側Ｔ２に引っ張られ、斜め上方、即ち矢印Ｃ方向へ変形していく。
【００１４】
この状態を（Ａ）のＤ−Ｄ方向で見た図が（Ｃ）であり、この状態においては、ズボン保持部３５が裾部側Ｔ２から離れてしまい、ズボン保持部３５による裾部側Ｔ２の狭着が解除されてしまう。そうすると、裾部側Ｔ２はフリーな状態になってしまい、その結果、ズボンＴが横杆３２からずり落ちてしまう。
【００１５】
このように、特開平１０−１６５２８７号公報に開示されているハンガーでは、吊り下げているズボン等が下側に引っ張られるとズボン保持部による裾部側の狭着が解除されてしまうという問題点が指摘できる。
【００１６】
そこで、本発明は、横杆に吊り下げたズボン等が容易にずり落ちないとともに吊り下げているズボン等に下側に向けた引っ張る力が加わった場合でもずり落ちることがないハンガーを提供することを課題としている。
【課題を解決するための手段】
【００１７】
本発明のハンガーは、衣服を支持するための衣服支持部と、該衣服支持部の略中央上部に連設されたフック部と、前記衣服支持部の下端部分を連通した、ズボン等を吊り下げるための横杆と、該横杆の少なくとも一端部の下方側において、内方側へ向けて前記横杆と略並行状態にして設けた、前記横杆に吊り下げたズボン等を挟持する挟持片と、を備えたハンガーであって、前記挟持片は、ハンガーの前後方向へ向けて湾曲状にして突出させた複数個の押圧部を有するとともに、前記複数個の押圧部はそれぞれ、隣り合う押圧部とは反対方向へ向けて突出していることを特徴としている。
【発明の効果】
【００１８】
本発明のハンガーでは、ハンガーの前後方向へ向けて湾曲状にして突出させる複数個の押圧部を有するとともに、この複数個の押圧部はそれぞれ、隣り合う押圧部とは反対方向へ向けて突出しており、これにより、横杆に吊り下げられたズボン等の折り返し部分近傍を、突出部の湾曲面によってハンガーの前後方向へ押圧可能としている。
【００１９】
そのために、横杆に吊り下げられたズボン等は、折り返し部分近傍において、突出部の湾曲面によってハンガーの前後方向へ向けて圧力が加えられるので、この部分に大きな摩擦抵抗が加わり、ズボンのずり落ちを有効に防止することが可能である。そしてこのとき、本発明のハンガーでは、突出部の湾曲面によってズボン等を押圧しているために、何らかの原因でズボンが下側に引っ張られ、それに伴って挟持片が斜め上方へ引っ張られた場合でも、ズボンの押圧が解除されることがなく、従ってズボンのずり下げを有効に防止することが可能である。
【発明を実施するための最良の形態】
【００２０】
本発明のハンガーは、樹脂等により一体に形成されており、ワイシャツや背広等の衣服の肩部を支持するための斜辺状の衣服支持部を有しており、この衣服支持部の略中央上部には、ハンガー全体をパイプ等に吊すためのフック部が連設されている。
【００２１】
また、前記衣服支持部の下端部分近傍には、衣服支持部の両下端部分を連通した横杆が連設されており、この横杆の両端部分近傍の下方にはそれぞれ、横杆との間にズボンを通す空間が形成されるようにして、横杆と略並行状態にして内方側へ向けて形成した挟持片が設けられている。
【００２２】
そして、前記挟持片はそれぞれ、ハンガーの前後方向へ向けて湾曲状にして突出させた２個の押圧部を有するとともに、この押圧部をそれぞれ、隣り合う押圧部とは反対方向へ向けて突出し、これにより、挟持片を、ハンガーの上下方向に向いた形状を略Ｓ字形状としている。
【００２３】
ここで、前記挟持片は、その先端部を下方側に向けて僅かに変形させるとよく、これにより、ズボン等を吊り下げる際に、ズボン等を横杆と挟持片との間の空間に容易に入れることができる。
【実施例１】
【００２４】
本発明のハンガーの実施例について図面を参照して説明すると、図１は、本実施例のハンガーを正面から見た状態を示す図であり、また、図２は図１における下方向から本実施例のハンガーを見た底面図であり、図において１が本実施例のハンガーである。
【００２５】
そして、本実施例におけるハンガー１は、金型を用いて一体成型したものであり、その素材は樹脂としており、衣服を支持するための衣服支持部２と、この衣服支持部の略中央上部に上側に向けて連設されたフック部３とを有しており、前記衣服支持部３の両下端部近傍は、ズボン等を吊り下げるための横杆５により連通されている。
【００２６】
ここで、前記衣服支持部２について説明すると、本実施例における前記衣服支持部２は、略ハ字形状とした肩部支持部２０１と、この肩部支持部２０１の先端部を連通した上部連通部２０２とを有しており、肩部支持部２０１によって、クリーニングされた衣服を支持可能としている。
【００２７】
そして、前記上部連通部２０２の上方には、ハンガー１をパイプ等の適宜な場所に吊るすためのフック部３が、上方向に向けて連設されており、このフック部３の先端部は略半円形状に湾曲させ、この湾曲部３０３によってハンガー１をパイプ等に吊るすことを可能としている。なお、湾曲部３０３の向きは特には限定されず、使用環境により、正面視野において左側に曲げた形態、あるいは正面視野において右側に曲げた形態がある。
【００２８】
ここで、前記フック部３について説明すると、本実施例においてフック部３は、前記上部連通部２０２に連設される連設部３０１を有しており、この連設部３０１は、略直角三角形状とした板状としている。
【００２９】
また、前記連設部３０１の頂点部分には、長尺状の基部３０２が連設されており、この基部３０２の上部に、前記湾曲部３０３が連設されている。
【００３０】
そして、前記基部３０２の長手方向に沿った一端には、縦長とした略長方形状のタック装着部４が連設されており、このタック装着部４に、バーコードタックや連番タック等の各種のタック片を装着可能としている。
【００３１】
また、本実施例において前記タック装着部４には凹部４０１が形成され、この凹部４０１内にタック片を嵌入可能としているとともに、凹部４０１の内壁には、凹部４０１内に圧入したタック片の浮き上がりを防止するための浮き上がり防止片４０２が突設されている。但し、本発明のハンガーでは、前記タック装着部４は特に必要なものではなく、これを備えない構成としてもよい。また、図２からも明らかなように、本実施例において前記タック装着部４は、前記基部３０２の正面側に対して、約４５度程度の角度をもって後方側に突出するようにしており、即ち、各種のタック片をタック装着部４に装着した場合に、前記タック片の長手方向に沿った一端が、ハンガー１の正面から見て斜め約４５度後方に向くようにしているが、タック装着部４を備える場合において、必ずしもこのようにする必要はない。
【００３２】
次に、本実施例においては、前記横杆５の両端部近傍における下方部分に挟持片６を設けており、この挟持片６と横杆５の両端部分とで、横杆５に吊り下げたズボン等の折り返し部分近傍を挟持可能としている。
【００３３】
即ち、本実施例においては、前記肩部支持部２０１の下端部分よりもわずかに上側を横杆５で連通しており、それとともに、前記肩部支持部２０１の両下端部分にそれぞれ、横杆５との間にズボンを通すことが可能なわずかな空間を形成しつつ、横杆５の中央側へ向けて、かつ、横杆５と略水平方向にして、挟持片６を連設している。そして、これにより、横杆５に吊るしたズボン等の折り返し部分近傍における幅方向の両端を、挟持片６と横杆５とで挟持可能としている。
【００３４】
ここで、前記挟持片６について説明すると、図３は挟持片６の近傍を示した斜視図であり、図３及び図２にからも明らかなように、本実施例において、前記挟持片６は、それぞれ、ハンガー１の前後方向へ湾曲状に突出した突出部７を有しており、更に、この突出部を２個有し、この２個の突出部７ａ、７ｂを互いに連設するとともに、互いに反対方向へ突出させ、上方向又は下方向から見た場合における挟持片６を略Ｓ字形状としている。そして、これにより、横杆５に吊るしたズボン等を挟持する際に、突出部７ａ、７ｂのいずれかの湾曲面でズボン等を押圧可能としている。
【００３５】
そのために、本実施例のハンガー１の横杆５にズボン等を吊るした場合には、ズボンにおける横杆５と挟持片６とにより挟持されている部分の１箇所、具体的には、突出部７ａあるいは７ｂの湾曲面により押圧されている部分に大きな摩擦抵抗が加わるため、吊り下げているズボン等に何らかの原因で下方側へ引っ張る力が加わった場合でも、突出部７ａ又は７ｂによる摩擦抵抗が作用し、ズボン等がずり下がることを有効に防止することができる。
【００３６】
また、そのとき、本実施例のハンガーでは、突出部７ａ又は７ｂにおける湾曲面でズボン等を押圧しているために、ズボン等が下側に引っ張られることにより挟持片６が斜め上方に変形した場合においても、突出部におけるズボン等を押圧する箇所が多少変わるのみで、ズボン等の押圧が解除されることは無いため、ズボン等の挟持を維持することができ、これによりズボン等のずり下がりを有効に防止することが可能である。
【００３７】
この関係を図４によって説明すると、図４（Ａ）はズボン等を挟持している状態における、挟持片６の近傍を下側に見た状態を示した図であり、Ｔはズボン等であり、Ｔ１は胴部側、Ｔ２は裾部側である。そしてこの状態においては、ズボン等Ｔは、突出部７ｂにより押圧されており、従って、ズボン等Ｔは、突出部７ｂによる摩擦抵抗によってズリ下がることが防止されている。
【００３８】
次に、この状態において、例えば胴部側Ｔ１が下側に引っ張られるとともに、それに伴い、裾部側が上方へ引っ張られ、更にそれによって挟持片が斜め上方へ引っ張られて変形した場合を考えると、（Ｂ）はこの状態を示した図であり、この状態においては、突出部７ｂによる押圧部の位置が多少変わるが、押圧部７ｂによるズボン等の押圧は維持されており、従って、突出部７ｂによる摩擦抵抗により、ズボン等がズリ下がることを防止することができる。
【００３９】
従って、本実施例のハンガーによれば、前述の従来のハンガーと異なり、挟持片における突出部による摩擦抵抗によりズボン等のずり下がりを防止できるとともに、何らかの原因で吊り下げているズボン等に下側へ向けた力が加えられた場合でも、ズボン等の挟持を維持することが可能である。
【００４０】
また、本実施例においては、図１にも示されるように、前記挟持片６のそれぞれの先端部８を下方向に僅かに変形させており、これにより、両先端部８が逆ハ字形状になるように構成している。そのために、本実施例では、横杆５にズボン等を吊り下げる際には、横杆５と挟持片６間に容易にズボンの長手方向に沿った端部を入れることが可能である。
【００４１】
次に、このように構成される本実施例のハンガーの作用について説明すると、本実施例のハンガー１にズボン等の細長いものを吊り下げる場合には、胴部側と裾部側をほぼ同じ長さにした状態でズボン等を横杆５に吊り下げる。そして、それとともに、横杆５によって折り返された部分近傍における胴部側あるいは裾部側を、横杆５と挟持片６間に通す。
【００４２】
そうすると、取り下げられたズボン等は横杆５と挟持片６とによって挟持されるためにハンガーに保持することが可能である。
【００４３】
そしてこのとき、本実施例のハンガーでは、前記挟持片６に、ハンガーの前後方向に突出させた２個の突出部７ａ、７ｂを設けるとともに、この２個の突出部７ａ、７ｂの突出方向を互いに反対方向にし、これにより、ハンガーの上下方向から見た挟持片６を略Ｓ字形状としているため、横杆５と挟持片６とでズボンを挟持した際に突出部７ａ又は７ｂの湾曲面でズボンを押圧し、当該部分に大きな摩擦抵抗を与えることが可能であり、これによりズボン等のずり下がりを防止することができる。
【００４４】
また、吊り下げているズボン等に何らかの原因で下側に引っ張る力が加わり、それに伴って挟持片６が斜め上方へ変形した場合でも、前述のように、突出部の湾曲面によるズボン等の押圧を維持することができるため、これによりズボン等のずり下がりを防止することができる。
【００４５】
このように、本実施例では、ズボンにおける突出部７ａ又は７ｂの湾曲面で押圧している部分に大きな摩擦抵抗が加わっているために、ズボン等を吊り下げた状態で維持することができるとともに、何らかの原因で吊り下げているズボン等の下端部分が引っ張られてしまった場合においてもこの状態を維持することができ、ズボン全体のずり落ちを有効に防止することが可能である。
【００４６】
また、挟持片６の先端部８を下側に変形させているために、横杆５にズボンを吊り下げるとともに横杆５と挟持片６との間にズボンを入れる場合には、容易にそれを行うことが可能である。
【００４７】
更に、突出部とズボンとの摩擦抵抗によりズボン等のずり下がりを防止できるために、従来のハンガー等と異なり、胴部側と裾部側をほぼ同じ長さにした状態でズボン等を横杆５に吊り下げることができることにより、ハンガーに吊り下げる衣服全体の長さを短くすることができ、ハンガーに吊るした衣服を包装する包装フィルムの長さを短くしてフィルム全体の使用量を少なくすることができるので、環境にも配慮したものと言える。
【産業上の利用可能性】
【００４８】
本発明のハンガーは、横杆とでズボンを挟持する挟持片を上下方向から見て略Ｓ字状に形成して横杆と挟持片とで挟持したズボンにおける特定の箇所にのみ大きな摩擦抵抗を与え、これによりズボンのずり落ちを防止しているため、横杆と挟持片を備えたハンガーの全般に適用可能である。
【図面の簡単な説明】
【００４９】
【図１】本発明のハンガーの実施例の正面図である。
【図２】本発明のハンガーの実施例の底面図である。
【図３】本発明のハンガーの実施例における挟持片近傍の斜視図である。
【図４】本発明のハンガーの実施例における作用を説明するための図である。
【図５】従来のハンガーの問題点を説明するための図である。
【符号の説明】
【００５０】
１    ハンガー
２    衣服支持部
２０１    肩部支持部
２０２    上部連通部
３    フック部
３０１    連設部
３０２    基部
３０３    湾曲部
４    タック装着部
５    横杆
６    挟持片
７ａ、７ｂ    突出部
８    挟持片の先端部
【図１】
2006102371.tif 000003
【図２】
2006102371.tif 000004
【図３】
2006102371.tif 000005
【図４】
2006102371.tif 000006
【図５】
2006102371.tif 000007